(57)【特許請求の範囲】
【請求項１】
一端側をケーブル引留め具を掛止するフック部とし、他端側をねじ杆とした金物本体の前記ねじ杆部に、締付けナットで締め付けられて支持線を挟持する、一対の挟持板を組付けた分線金物に組付けて用いるものであって、上部片の両側に側部片を相対設し、該側部片の下端に連続させた底部片の自由端間を引込みケーブルの導入間隙とした方形枠体で支持具本体を構成し、該支持具本体の一方の前記側部片に取付け部片を立設し、該取付け部片に分線金物の前記ねじ杆を挿通する透孔を設けると共に、前記導入間隙部には、支持具本体の一方の前記底部片に基部が固着され、先端部が他方の前記底部片上を接離する板ばねで成る閉塞片を設けた、引込み用ケーブルの支持具。
【発明の詳細な説明】
【技術分野】
【０００１】
本発明は、電柱間に架設した支持線（メッセンジャーワイヤー）に沿わせて引込み用ケーブル（概し、光ケーブル）を新たに配する際に用いる支持具に関するものである。
【背景技術】
【０００２】
電柱間に架設した支持線に螺旋状ケーブルハンガーを組付け、該螺旋状ケーブルハンガーにケーブルを支持させた、既設のケーブル張架装置に引込み用ケーブル等のケーブルを追加増設するには、前記螺旋状ケーブルハンガー内に一方の電柱側から引き紐通し具を通して他方の電柱側に引き紐を渡し、他方の電柱側から引き紐を牽引して該引き紐に接続したケーブルを、前記ケーブルハンガー内を通じて両電柱間に追加、増設するようにした構造のものが知られている（例えば、特許文献１、段落「００２５」）。そして、前記支持線に分線金物を取付けて追加したケーブルを各建屋に引込むようにしており、分線金物は、一端側を前記追加したケーブルを引き留めるための掛止具を掛止するフック部とし、他端側をねじ杆部とした金物本体の前記ねじ杆部に、締付けナットで締付けて支持線を挟持する、一対の挟持板を組付けた構成で成るものである（例えば、特許文献２）。要するに、本発明のような構造のものは見当たらない。
【先行技術文献】
【特許文献】
【０００３】
【特許文献１】特開平９−１３５５１０号公報
【特許文献２】実開平１−５８２３１号公報
【発明の概要】
【発明が解決しようとする課題】
【０００４】
前記従来のケーブル追加装置は、既設のケーブルで占められた一定の空間（螺旋状ケーブルハンガーの内側）内に新たなケーブルを追加施工する構成を採るので、その作業が煩雑であり、新設のケーブルのための空間域を確保できず、施工できない場合もある。
【０００５】
本発明は、光ドロップケーブルなどの引込み用ケーブルを支持線に沿わせて張架し、しかも、一束化するに好適な支持具を提供することを目的として創案したものである。
【課題を解決するための手段】
【０００６】
一端側をケーブル引留め具を掛止するフック部とし、他端側をねじ杆とした金物本体の前記ねじ杆部に、締付けナットで締め付けられて支持線を挟持する、一対の挟持板を組付けた分線金物に組付けて用いるものであって、上部片の両側に側部片を相対設し、該側部片の下端に連続させた底部片の自由端間を引込みケーブルの導入間隙とした方形枠体で支持具本体を構成し、該支持具本体の一方の前記側部片に取付け部片を立設し、該取付け部片に分線金物の前記ねじ杆を挿通する透孔を設けると共に、前記導入間隙部には、支持具本体の一方の前記底部片に基部が固着され、先端部が他方の前記底部片上を接離する板ばねで成る閉塞片を設けた構成とするのである。
【発明の効果】
【０００７】
本発明によれば、支持線に取付けた分線金物（既設、新設を問わず）を利用して支持線に沿わせて設置して、支持線の下側に配する引込み用ケーブルの一束化を図ることができ、しかも、一束化するに閉塞片のばね性を利用して支持具本体に対する係合、離脱を行うことができるから一束化を確実に行え、必要時に特定のものを本体から離脱させて引込みに適用できる、作業性の優れた支持具を提供できる。
【図面の簡単な説明】
【０００８】
【図１】使用状態を示す斜視図。
【図２】図１の一部拡大図。
【図３】図２の平面図。
【図４】図２の側面図。
【図５】支持具の正面図。
【図６】支持具の側面図。
【図７】支持具の底面図。
【図８】図６のｘ−ｘ線断面図。
【図９】支持具の分解斜視図。
【実施例】
【０００９】
本発明に係る引込み用ケーブルの支持具Ａは、支持具本体１と取付け材２および閉塞材３を互いに組付けて構成する。
【００１０】
支持具本体１は、上面中央に凹入部４を設けた上部片１ａの両側に側部片１ｂ，１ｂ´を相対設し、各側部片１ｂ，１ｂ´の下端に、前記上部片１ａと並行する方向に突出させた底部片１ｃ，１ｃ´を相対設し、底部片１ｃ，１ｃ´の、前記上部片１ａの直下に位置する自由端部間を、引込みケーブルの導入間隙５とした合成樹脂体で構成する。
【００１１】
取付け材２は、金属板を屈曲して構成するもので、上部側の一半を中央に縦長の長孔６を設けた取付け部片２ａと、該取付け部片２ａに連続する下部側の一半を、浅い横溝状に屈曲して形成した組付け部片２ｂとしたものである。
【００１２】
閉塞材３は、厚肉の基部片３ａの長手方向に沿う片面側に板ばねで成る、３枚の閉塞部片３ｂ，３ｂ，３ｂを等間隔にして突設して成る金属体で構成する。
【００１３】
そして、引込み用ケーブルの支持具Ａは、一方の側部片１ｂ側の底部片１ｃの基部下縁に設けた突条８に、取付け材２の組付け部片２ｂの下側水平部２００ｂ´´に設けた長孔９を係止するようにして、支持具本体１の上部片１ａと一方の側部片１ｂおよび一方の底部片１ｃにかけての表面部に設けた凹部１０に、取付け材２の組付け部片２ｂを嵌め込み、組付け部片２ｂの立面部２００ｂに設けた透孔１１を通じてねじ釘１２を前記側部片１ｂに差し込んで、支持具本体１と取付け材２を互いに組付け、取付け材２を組付けた支持具本体１の、他方の側部片１ｂ´側に、該側部片１ｂ´の他方の底部片１ｃ´側の自由端（下端）部に設けた横長の長孔１３に閉塞材３を嵌挿して厚肉の基部片３ａを嵌め込んで、基部片３ａの中央に設けた係止部片３００ａを側部片１ｂ´に係止させ、その表面側からねじ釘１４を側部片１ｂ´に設けた穴１５に螺入させて、閉塞材３を支持具本体１に組付けることによって得られる。
【００１４】
すなわち、引込み用ケーブルの支持具Ａは、上部片１ａの両側に側部片１ｂ，１ｂ´を相対設し、該側部片１ｂ，１ｂ´の下端に連続させた底部片１ｃ，１ｃ´の自由端間の間隙を引込みケーブルｃの導入間隙５とした合成樹脂製の方形枠体で支持具本体１を構成する。そして、該支持具本体１の一方の前記側部片１ｂに取付け部片２ａを立設し、該取付け部片２ａに分線金物Ｂのねじ杆２０ａを挿通する長孔６を設け、前記導入間隙５部には、支持具本体１の一方の前記底部片１ｃ´に基部が固着され、先端部が他方の前記底部片１ｃ上を接離する板ばねで成る、導入間隙５を部分的に閉塞する閉塞片３ｂを設けて成るものである。
【００１５】
そして、本発明に係る引込み用ケーブルの支持具Ａは、支持線ａ（図示のものは、所謂だるま型ケーブルの支持線であるがワイヤーから成るものでも良い）に、該支持線ａを一対の挟持板２１，２１間において挟持して取付けた分線金物に組付けて用いるが、分線金物Ｂ自体は図示の構造のものに限定する必要はない。
【００１６】
支持具Ａは、分線金物Ｂの挟持板２１，２１を締付けた締付けナット２２より突出する金物本体２０のねじ杆２０ａ部の先端に、支持具Ａの取付け部片２ａを前記長孔（分線金物Ｂからの支持具Ａの突出量を調節するための）６に前記ねじ杆２０ａ部を挿通させて組合わせ、長孔６より突出するねじ杆２０ａ部先端に挟持ナット２４を螺合して締付けることにより、支持線ａ上に取付けた分線金物Ｂに組付け、支持され、支持線ａに沿って適宜の間隔を存して設置される。
【００１７】
そして、支持線ａに分線金物Ｂを介して支持させた支持具Ａの支持具本体１で構成する支持空間１６に、引込みケーブルｃを貫通させるようにして、下部片１ｃ，１ｃ´によって支持させるのであって、引込みケーブルｃが既設のときは、下部片１ｃ又は１ｃ´の傾斜を利用して当該引込みケーブルｃを導入間隙５に導き、ばね性を利用して閉塞部片３ｂ（実施態様では３枚設けてあるが、支持空間１６に対するケーブルｃの出入を円滑に行えれば、単数枚でも４枚以上でも不都合はない。）を強制的に屈曲して導入間隙５を開放して支持空間１６内に係合し、引込みケーブルｃを新たに追加するときは、該引込みケーブルｃを電柱間に張架後、ケーブル支持線ａに沿って適宜数並設してある前記分線金物Ｂに組付けた支持具Ａに前記と同様に当該ケーブルｃを組付け、支持させる。
【００１８】
なお、分線金物Ｂは、前記ねじ杆部２０ａとフック部２０ｂを並設して成る金物本体２０のねじ杆部２０ａに支持線ａを挟持する一対の挟持板２１，２１を組合わせ、ねじ杆部２０ａに螺合した締付けナット２２を締付けることにより挟持板２１，２１が支持線ａを挟持し、支持線ａに取付けられる。そして、この取付け状態で、金物本体２０のフック部２０ｂになす環状の掛止環部Ｄａを引っ掛けるようにして引留め具（公知）Ｄを組付け、該引留め具Ｄに支持空間１６に挿通させて保持させた引込みケーブルｃの支持線部ｃ´を組付け、該引込みケーブルｃの建屋への引込み（引留め）作業を行うのである。
【００１９】
また、凹入部４は、支持線ａを構成材とするだるま型ケーブルＣａのケーブル部Ｃａ´を係合させるためのもので、係合させる分、支持線ａと引込みケーブルｃが近接し、鳥の飛来を防ぎ、支持線（鋼線のみで成る場合も含む）と引込みケーブルｃの一体化を図ることができる。
【符号の説明】
【００２０】
１            支持具本体
１ａ          上部片
１ｂ，１ｂ´  側部片
１ｃ，１ｃ´  底部片
２            取付け材
２ａ          取付け部片
５            導入間隙
６            長孔
【図１】
0005579585.tif 000002
【図２】
0005579585.tif 000003
【図３】
0005579585.tif 000004
【図４】
0005579585.tif 000005
【図５】
0005579585.tif 000006
【図６】
0005579585.tif 000007
【図７】
0005579585.tif 000008
【図８】
0005579585.tif 000009
【図９】
0005579585.tif 000010